(57)【要約】【課題】開き状態または閉じ状態にあるリッドをプッシュすると、リッドのロック解除が行われバネ力によってリッドが閉じ状態または開き状態に切り替わる構造であっても、リッドの開け操作または閉じ操作の操作性を向上させた小物入れを提供すること。【解決手段】小物入れ１は、開口１２を有する中空状のボックス１０と、開口１２を開閉可能にボックス１０に対して組み付けられているリッド２０とを備えている。そして、開き状態にあるリッド２０をプッシュすると、リッド２０のロック解除が行われバネ３６ａ力によってリッド２０が閉じ状態に切り替わるように構成されている。これらリッド２０とボックス１０との間には、開け操作しているときのリッド２０に作用するバネ３６ａ力の向きがリッド２０を閉じる方向からリッド２０を開ける方向に切り替わるガイド機構１６、２６ｂが設けられている。【選択図】図３
2013035529.tif 000002
【特許請求の範囲】
【請求項１】
開口を有する中空状のボックスと、前記開口を開閉可能に前記ボックスに対して組み付けられているリッドと、を備えており、開き状態にある前記リッドをプッシュすると、前記リッドのロック解除が行われバネ力によって前記リッドが閉じ状態に切り替わる小物入れであって、
前記リッドと前記ボックスとの間には、開け操作しているときの前記リッドに作用する前記バネ力の向きが前記リッドを閉じる方向から前記リッドを開ける方向に切り替わるガイド機構が設けられていることを特徴とする小物入れ。
【請求項２】
開口を有する中空状のボックスと、前記開口を開閉可能に前記ボックスに対して組み付けられているリッドと、を備えており、閉じ状態にある前記リッドをプッシュすると、前記リッドのロック解除が行われバネ力によって前記リッドが開き状態に切り替わる小物入れであって、
前記リッドと前記ボックスとの間には、閉じ操作しているときの前記リッドに作用する前記バネ力の向きが前記リッドを開ける方向から前記リッドを閉じる方向に切り替わるガイド機構が設けられていることを特徴とする小物入れ。
【発明の詳細な説明】
【技術分野】
【０００１】
本発明は、小物入れに関し、詳しくは、開き状態または閉じ状態にあるリッドをプッシュすると、リッドのロック解除が行われバネ力によってリッドが閉じ状態または開き状態に切り替わる小物入れに関する。
【背景技術】
【０００２】
従来、車両の内部に設けられている小物入れには、そのボックスに形成されている開口を開閉するリッドがボックスに組み付けられている。このように組み付けられているリッドを開けるとボックスを使用状態にでき、開けたリッドを閉じるとボックスを収納状態にできる。ここで、下記特許文献１には、プッシュオープン機構を介してリッドがボックスに組み付けられている技術が開示されている。これにより、リッドをプッシュすると、バネ力によってリッドを閉じることができるため、リッドの閉じ操作を簡便にできる。
【先行技術文献】
【特許文献】
【０００３】
【特許文献１】特開２００４−２１０１７３号公報
【発明の概要】
【発明が解決しようとする課題】
【０００４】
しかしながら、上述した従来技術では、リッドの閉じ操作はバネ力によって行われているが、リッドの開け操作は手動で行われていた。この開け操作は、バネ力に抗したものであるため、操作性が悪い（操作荷重が重い）という問題が発生していた。
【０００５】
本発明は、このような課題を解決しようとするもので、その目的は、開き状態または閉じ状態にあるリッドをプッシュすると、リッドのロック解除が行われバネ力によってリッドが閉じ状態または開き状態に切り替わる構造であっても、リッドの開け操作または閉じ操作の操作性を向上させた小物入れを提供することである。
【課題を解決するための手段】
【０００６】
本発明は、上記の目的を達成するためのものであって、以下のように構成されている。
請求項１に記載の発明は、開口を有する中空状のボックスと、開口を開閉可能にボックスに対して組み付けられているリッドと、を備えており、開き状態にあるリッドをプッシュすると、リッドのロック解除が行われバネ力によってリッドが閉じ状態に切り替わる小物入れであって、リッドとボックスとの間には、開け操作しているときのリッドに作用するバネ力の向きがリッドを閉じる方向からリッドを開ける方向に切り替わるガイド機構が設けられていることを特徴とする構成である。
この構成によれば、従来技術と同様に、開け状態にあるリッドをプッシュすると、バネ力によってリッドを閉じることができるため、リッドの閉じ操作を簡便にできる。これと逆に、閉じ状態にあるリッドを押し込んで、リッドを開け操作するときでも、従来技術とは異なり、リッドが閉じ状態から開き状態に切り替わる途中位置以降において、リッドを押し込む力を必要とすることなく、バネ力によってリッドを開けることができる。したがって、リッドの開け操作の操作性を向上させることができる。
【０００７】
また、請求項２に記載の発明は、開口を有する中空状のボックスと、開口を開閉可能にボックスに対して組み付けられているリッドと、を備えており、閉じ状態にあるリッドをプッシュすると、リッドのロック解除が行われバネ力によってリッドが開き状態に切り替わる小物入れであって、リッドとボックスとの間には、閉じ操作しているときのリッドに作用するバネ力の向きがリッドを開ける方向からリッドを閉じる方向に切り替わるガイド機構が設けられていることを特徴とする構成である。
この構成でも、請求項１と同様の作用効果を得ることができる。
【図面の簡単な説明】
【０００８】
【図１】図１は、本発明の実施例１の小物入れを車両内部に適用した斜視図であり、リッドの閉じた状態を示している。
【図２】図２は、図１のリッドが開いた状態を示している。
【図３】図３は、図１の小物入れの分解斜視図である。
【図４】図４は、図１のリッドの動きを示す模式図であり、リッドが閉じた状態を示している。
【図５】図５は、図４のリッドを開けている状態を示している。
【図６】図６は、図５のリッドをさらに開けている状態を示している。
【図７】図７は、図６のリッドをさらに開けている状態を示している。
【図８】図８は、図７のリッドをさらに開けている状態を示している。
【図９】図９は、図８のリッドが開き状態に保持された状態を示している。
【図１０】図１０は、図９のリッドを閉じている状態を示している。
【図１１】図１１は、本発明の実施例２の小物入れの分解斜視図である。
【図１２】図１２は、図１１のリッドの動きを示す模式図であり、リッドが閉じた状態を示している。
【図１３】図１３は、図１２のリッドを開けている状態を示している。
【図１４】図１４は、図１３のリッドをさらに開けている状態を示している。
【図１５】図１５は、図１４のリッドをさらに開けている状態を示している。
【図１６】図１６は、図１５のリッドをさらに開けている状態を示している。
【図１７】図１７は、図１６のリッドが開き状態に保持された状態を示している。
【図１８】図１８は、図１７のリッドを閉じている状態を示している。
【発明を実施するための形態】
【０００９】
以下、本発明を実施するための形態を、図面を用いて説明する。
（実施例１）
まず、本発明の実施例１の小物入れ１を、図１〜１０を参照して説明する。なお、以下の説明にあたって、上、下、前、後、左、右とは、上述した図に記載した、上、下、前、後、左、右の方向、すなわち、車両を基準にしたときの上、下、前、後、左、右の方向を示している。このことは、後述する実施例２においても同様である。
【００１０】
小物入れ１は、主として、ボックス１０と、リッド２０とから構成されており、図１〜２に示すように、車両の内部のセンタークラスター２とコンソールボックス３とをつなぐセンターコンソール４の中空４ａに組み付けられている。以下に、図３〜４を参照して、ボックス１０とリッド２０とを個別に説明していく。
【００１１】
はじめに、ボックス１０から説明していく。ボックス１０は、その内部に小物を入れることができるように中空状に形成された箱部材である。このボックス１０の上面の手前側（後側）には、その内部と外部とを連通させる略矩形状の開口１２が形成されている。また、ボックス１０の上面の両縁には、リッド２０の左右の縁２２、２２をそれぞれ挟み込むガイド１４、１４が形成されている。また、ボックス１０の上面の奥側（前側）には、リッド２０のスライダ２６に組み付けられているローラ２６ｂを案内する略三角形状のガイド溝１６が形成されている。
【００１２】
ここで、ガイド溝１６について詳述すると、このガイド溝１６は、第１の辺１６ａ、第２の辺１６ｂ、第３の辺１６ｃから形成されている。これら３辺１６ａ、１６ｂ、１６ｃのうち、第１の辺１６ａと第２の辺１６ｂとは、開け操作したときのリッド２０のスライダ２６に組み付けられているローラ２６ｂを案内するように形成されており、第３の辺１６ｃは、閉じ操作したときのリッド２０のスライダ２６に組み付けられているローラ２６ｂを案内するように形成されている。
【００１３】
なお、第１の辺１６ａと第２の辺１６ｂとは、リッド２０の開け操作に伴ってスライドするスライダ２６のスライド方向が後述するスパイラルスプリング３６ａの付勢力に抗する方向から付勢力に準ずる方向へ切り替わるように形成されている。また、第１の辺１６ａと第３の辺１６ｃとの交わる部位の近傍には、ローラ２６ｂが第３の辺１６ｃから第１の辺１６ａに入ることを許容し、ローラ２６ｂが第１の辺１６ａから第３の辺１６ｃに入ることを規制する弁１６ｄがばね（図示しない）を介して組み付けられている。
【００１４】
また、ボックス１０の上面の奥側（前側）には、リッド２０の下面に形成されているハートカム２０ａに係合可能なピン１８ａを有するシャフト１８が枢着されている。ボックス１０は、このように構成されている。
【００１５】
次に、リッド２０を説明する。リッド２０は、ボックス１０の開口１２を覆い可能に略矩形に形成された蓋部材である。このリッド２０の左右の縁２２、２２は、既に説明したように、ボックス１０のガイド１４、１４に挟み込み可能に形成されている。これにより、リッド２０をスライドさせて開口１２を開け閉めできる。
【００１６】
また、このリッド２０の上面には、その幅方向に沿ってスライド可能なスライダ２６が組み付けられている。このスライダ２６には、後述するアクチュエータ３０の小歯車３４に噛み合うラック２６ａが形成されている。また、このスライダ２６には、既に説明したように、ボックス１０のガイド溝１６に案内されるローラ２６ｂが組み付けられている。このローラ２６ｂと上述したガイド溝１６とが、特許請求の範囲に記載の「ガイド機構」に相当する。
【００１７】
また、このリッド２０の上面の手前側（後側）には、リッド２０を押し込み可能な押当部２０ｂが形成されている。また、このリッド２０の下面には、既に説明したように、ボックス１０のシャフト１８のピン１８ａを係合可能な公知のハートカム２０ａが形成されている。
【００１８】
また、このリッド２０の下面には、アクチュエータ３０が組み付けられている。ここで、アクチュエータ３０について詳述すると、このアクチュエータ３０は、そのベースを成すケース３２と、このケース３２に枢着された小歯車３４と、このケース３２に枢着され小歯車３４に噛み合う大歯車３６とから構成されている。なお、この小歯車３４は、ダンパ３４ａを介して枢着されている。これにより、後述するスパイラルスプリング３６ａの復元力によってリッド２０を閉じるとき、この閉じ動作をゆっくりしたものにできる。したがって、小物入れ１に高級感を出せる。
【００１９】
また、この大歯車３６は、スパイラルスプリング３６ａを介して枢着されている。このスパイラルスプリング３６ａは、リッド２０が閉じ状態から開き状態になるにつれて、スライダ２６と小歯車３４と大歯車３６とを介して撓んでいくように設定されている。また、このリッド２０の上面には、組み付けたスライダ２６に異物の噛み込みを防止するカバー２８がビスＢにより留められている。リッド２０は、このように構成されている。
【００２０】
続いて、図１〜２、４〜１０を参照して、上述したボックス１０と、リッド２０とから構成されている小物入れ１の動作を説明する。この説明にあたって、図１、４に示すように、リッド２０が閉じ状態（リッド２０がボックス１０の開口１２を閉じた状態）にあるときから説明していく。このリッド２０が閉じ状態にあるとき、リッド２０のスライダ２６に組み付けられているローラ２６ｂは、ガイド溝１６の待避部１６ｅに位置している。この待避部１６ｅとは、第１の辺１６ａと第３の辺１６ｃとが交差する位置（以下、「第１の角位置Ａ」と記す）から第１の辺１６ａの延長線上の位置のことである。
【００２１】
まず、図１、４に示す状態から、作業者は、閉じ状態にあるリッド２０の押当部２０ｂを自身の指で押し込んでいく。すると、図５に示すように、リッド２０が前側にスライドしていくため、ボックス１０の開口１２が開き始める。このとき、リッド２０のスライダ２６に組み付けられているローラ２６ｂはガイド溝１６の第１の辺１６ａを進んでいく。これにより、スライダ２６もスライドしていくため、スライダ２６のラック２６ａと小歯車３４と大歯車３６とを介してスパイラルスプリング３６ａが撓んでいく。
【００２２】
そのため、この図５に示す状態では、スライダ２６は、そのスライドが戻る方向に付勢されている。この図５において、矢印がスライダ２６に作用する付勢力（撓んだスパイラルスプリング３６ａの復元力）を示している。したがって、この図５に示す状態では、この付勢力より大きな押し込み力が必要となっている。
【００２３】
この図５に示す状態から、作業者は、さらに、リッド２０の押当部２０ｂを押し込んでいき、リッド２０のスライダ２６に組み付けられているローラ２６ｂが第１の辺１６ａと第２の辺１６ｂとが交差する位置（以下、「第２の角位置Ｂ」と記す）に到達すると（図６参照）、スライダ２６に作用する付勢力が押し込んだリッド２０を戻す方向から押し込む方向に切り替わる。
【００２４】
そのため、以降において、作業者によるリッド２０の押当部２０ｂの押し込みを解除しても、スライダ２６に作用する付勢力によって、リッド２０のスライダ２６に組み付けられているローラ２６ｂはガイド溝１６の第２の辺１６ｂを進んでいく（図７参照）。この図７に示す状態では、スライダ２６は、そのスライドが戻る方向に付勢されている。この図７において、矢印がスライダ２６に作用する付勢力を示している。したがって、この図７に示す状態では、作業者の押し込み力を要することなく、さらに、リッド２０を前側へスライドできる。
【００２５】
やがて、リッド２０のスライダ２６に組み付けられているローラ２６ｂが第２の辺１６ｂと第３の辺１６ｃとが交差する位置（以下、「第３の角位置Ｃ」と記す）に到達すると、ボックス１０のシャフト１８のピン１８ａがリッド２０のハートカム２０ａの第１の溝２０ａ１に嵌り込む（図８参照）。
【００２６】
この図８に示す状態でも、未だ、スライダ２６には付勢力が作用しているため、リッド２０のスライダ２６に組み付けられているローラ２６ｂはガイド溝１６の第３の辺１６ｃを進んでいく。すなわち、リッド２０が開いた状態から閉じ始める。すると、ボックス１０のシャフト１８のピン１８ａがリッド２０のハートカム２０ａの係合溝２０ａ３に嵌り込む（図２、９参照）。これにより、リッド２０が開いた状態で保持されるため、ボックス１０を使用状態にできる。
【００２７】
この図２、９に示す状態から、リッド２０の押当部２０ｂをプッシュすると、ボックス１０のシャフト１８のピン１８ａのリッド２０のハートカム２０ａの係合溝２０ａ３に対する嵌り込みが解消する。すると、未だ、スライダ２６には付勢力が作用しているため、リッド２０のスライダ２６に組み付けられているローラ２６ｂはガイド溝１６の第３の辺１６ｃを進んでいく。すなわち、リッド２０が開いた状態から閉じ始める。これらの記載が、特許請求の範囲に記載の「開き状態にあるリッドをプッシュすると、リッドのロック解除が行われバネ力によってリッドが閉じ状態に切り替わる」に相当する。
【００２８】
やがて、リッド２０のスライダ２６に組み付けられているローラ２６ｂが弁１６ｄを押し込むため、この押し込みによって、リッド２０のスライダ２６に組み付けられているローラ２６ｂは第１の角位置Ａを経由して待避部１６ｅへ戻される。このように戻されると、リッド２０も閉じ状態へ戻されることとなる。このようにして、従来技術と同様に、リッド２０を開けるとボックス１０を使用状態にでき、開けたリッド２０を閉じるとボックス１０を収納状態にできる。
【００２９】
本発明の実施例１に係る小物入れ１は、上述したように構成されている。この構成によれば、リッド２０を開けるとボックス１０を使用状態にでき、開けたリッド２０を閉じるとボックス１０を収納状態にできる。このとき、従来技術と同様に、開け状態にあるリッド２０をプッシュすると、撓んだスパイラルスプリング３６ａの復元力によってリッド２０を閉じることができるため、リッド２０の閉じ操作を簡便にできる。これと逆に、閉じ状態にあるリッド２０を押し込んで、リッド２０を開け操作するときでも、従来技術とは異なり、リッド２０が閉じ状態から開き状態に切り替わる途中位置（第２の角位置Ｂ）以降において、リッド２０を押し込む力を必要とすることなく、撓んだスパイラルスプリング３６ａの復元力によってリッド２０を開けることができる。したがって、リッド２０の開け操作の操作性を向上させることができる。
【００３０】
（実施例２）
次に、本発明の実施例２の小物入れ１０１を、図１１〜１８を参照して説明する。この実施例２は、既に説明した実施例１と比較すると、リッド２０に作用するバネ力をスパイラルスプリング３６ａからトーションばね１３６ａに代えた形態である。以下の説明にあたって、実施例１と同一部材には、図面において同一符号を付すことで、重複する説明は省略することとする。
【００３１】
図１１に示すように、実施例２の小物入れ１０１も、実施例１の小物入れ１と同様に、主として、ボックス１０と、リッド２０とから構成されている。
【００３２】
ボックス１０の上面の奥側（前側）には、リッド２０のドラム１２６に組み付けられているローラ２６ｂを案内する略三角形状のガイド溝１６が形成されている。このガイド溝１６は、図１１からも明らかなように、ボックス１０の上面に直に形成されることなく、この上面に形成されている半円面１１０ａに形成されている。
【００３３】
一方、リッド２０の下面には、外周面にローラ２６ｂが組み付けられているドラム１２６がトーションばね１３６ｂを介して枢着されている。このトーションばね１３６は、リッド２０に作用するバネ力が、実施例１のスパイラルスプリング３６ａと同様となるように、リッド２０とドラム１２６との間に掛け留められている。
【００３４】
続いて、図１２〜１８を参照して、上述したボックス１０と、リッド２０とから構成されている小物入れ１０１の動作を説明する。この説明にあたって、図１２（Ａ）に示すように、リッド２０が閉じ状態（リッド２０がボックス１０の開口１２を閉じた状態）にあるときから説明していく。このリッド２０が閉じ状態にあるとき、リッド２０のドラム１２６に組み付けられているローラ２６ｂは、ガイド溝１６の待避部１６ｅに位置している。
【００３５】
なお、図１２（Ｂ）は、図１２（Ａ）のリッド２０のスライド位置に対応するガイド溝１６とローラ２６ｂとの位置関係を示す平面模式図である。また、図１２（Ｃ）は、図１２（Ａ）のリッド２０のスライド位置に対応するガイド溝１６とローラ２６ｂとの位置関係を示す正面模式図である。これらのことは、図１３〜１８においても同様である。
【００３６】
まず、図１２に示す状態から、作業者は、閉じ状態にあるリッド２０の押当部２０ｂを自身の指で押し込んでいく。すると、図１３に示すように、リッド２０が前側にスライドしていくため、ボックス１０の開口１２が開き始める。このとき、リッド２０のドラム１２６に組み付けられているローラ２６ｂはガイド溝１６の第１の辺１６ａを進んでいく。これにより、ドラム１２６も回転していくため、トーションばね１３６ａが撓んでいく。
【００３７】
そのため、この図１３に示す状態では、ドラム１２６は、その回転が戻る方向に付勢されている。この図１３において、矢印がドラム１２６に作用する付勢力（撓んだトーションばね１３６ａの復元力）を示している。したがって、この図１３に示す状態では、この付勢力より大きな押し込み力が必要となっている。
【００３８】
この図１３に示す状態から、作業者は、さらに、リッド２０の押当部２０ｂを押し込んでいき、リッド２０のドラム１２６に組み付けられているローラ２６ｂが第２の角位置Ｂに到達すると（図１４参照）、ドラム１２６に作用する付勢力が押し込んだリッド２０を戻す方向から押し込む方向に切り替わる。
【００３９】
そのため、以降において、作業者によるリッド２０の押当部２０ｂの押し込みを解除しても、ドラム１２６に作用する付勢力によって、リッド２０のドラム１２６に組み付けられているローラ２６ｂはガイド溝１６の第２の辺１６ｂを進んでいく（図１５参照）。この図１５に示す状態では、ドラム１２６は、その回転が戻る方向に付勢されている。この図１５において、矢印がドラム１２６に作用する付勢力を示している。したがって、この図１５に示す状態では、作業者の押し込み力を要することなく、さらに、リッド２０を前側へスライドできる。
【００４０】
やがて、リッド２０のドラム１２６に組み付けられているローラ２６ｂが第３の角位置Ｃに到達すると、ボックス１０のシャフト１８のピン１８ａがリッド２０のハートカム２０ａの第１の溝２０ａ１に嵌り込む（図１６参照）。
【００４１】
この図１６に示す状態でも、未だ、ドラム１２６には付勢力が作用しているため、リッド２０のドラム１２６に組み付けられているローラ２６ｂはガイド溝１６の第３の辺１６ｃを進んでいく。すなわち、リッド２０が開いた状態から閉じ始める。すると、ボックス１０のシャフト１８のピン１８ａがリッド２０のハートカム２０ａの係合溝２０ａ３に嵌り込む（図１７参照）。これにより、リッド２０が開いた状態で保持されるため、ボックス１０を使用状態にできる。
【００４２】
この図１７に示す状態から、リッド２０の押当部２０ｂをプッシュすると、ボックス１０のシャフト１８のピン１８ａのリッド２０のハートカム２０ａの係合溝２０ａ３に対する嵌り込みが解消する。すると、未だ、ドラム１２６には付勢力が作用しているため、リッド２０のドラム１２６に組み付けられているローラ２６ｂはガイド溝１６の第３の辺１６ｃを進んでいく。すなわち、リッド２０が開いた状態から閉じ始める。
【００４３】
やがて、リッド２０のドラム１２６に組み付けられているローラ２６ｂが弁１６ｄを押し込むため、この押し込みによって、リッド２０のドラム１２６に組み付けられているローラ２６ｂは第１の角位置Ａを経由して待避部１６ｅへ戻される。このように戻されると、リッド２０も閉じ状態へ戻されることとなる。このようにして、従来技術と同様に、リッド２０を開けるとボックス１０を使用状態にでき、開けたリッド２０を閉じるとボックス１０を収納状態にできる。
【００４４】
本発明の実施例２に係る小物入れ１０１は、上述したように構成されている。この構成によれば、スパイラルスプリング３６ａからトーションばね１３６ａに代えても、実施例１の小物入れ１と同様の作用効果を得ることができる。
【００４５】
上述した内容は、あくまでも本発明の一実施の形態に関するものであって、本発明が上記内容に限定されることを意味するものではない。
各実施例では、ハートカム２０ａによってリッド２０が開き状態に保持される形態を説明した。しかし、これに限定されるものでなく、ハートカム２０ａによってリッド２０が閉じ状態に保持される形態でも構わない。この場合でも、各実施例と同様の作用効果を得ることができる。
【００４６】
また、各実施例では、ボックス１０にガイド溝１６が形成され、リッド２０にローラ２６ｂが組み付けられる形態を説明した。しかし、これに限定されるものでなく、ボックス１０にローラ２６ｂが組み付けられ、リッド２０にガイド溝１６が形成されても構わない。この場合でも、各実施例と同様の作用効果を得ることができる。
【符号の説明】
【００４７】
１      小物入れ（実施例１）
１０    ボックス
１２    開口
１６    ガイド溝
２０    リッド
２６ｂ  ローラ
１０１  小物入れ（実施例２）
【図１】
2013035529.tif 000003
【図２】
2013035529.tif 000004
【図３】
2013035529.tif 000005
【図４】
2013035529.tif 000006
【図５】
2013035529.tif 000007
【図６】
2013035529.tif 000008
【図７】
2013035529.tif 000009
【図８】
2013035529.tif 000010
【図９】
2013035529.tif 000011
【図１０】
2013035529.tif 000012
【図１１】
2013035529.tif 000013
【図１２】
2013035529.tif 000014
【図１３】
2013035529.tif 000015
【図１４】
2013035529.tif 000016
【図１５】
2013035529.tif 000017
【図１６】
2013035529.tif 000018
【図１７】
2013035529.tif 000019
【図１８】
2013035529.tif 000020